(57)【要約】【課題】汚水貯留槽の設置を必要とすることなく、且つ、メンテナンス性にすぐれた排水圧送設備を構成させるための、排水圧送用ポンプユニットの提供。【解決手段】有底ケーシング８内に圧送ポンプ９を収容し、ポンプ吸込口１０は底ケーシング８の壁面に開設された排水流入口１３へ導通し、ポンプ吐出口１４は有底ケーシング８の壁面に開設された排水流出口１５へ導通し、排水流入口１３には排水状況を検知するセンサー１６を装備し、該センサー１６の信号を受信した制御機関１７からの指令によって圧送ポンプ９の運転制御が行われるよう構成した。【選択図】        図２ 
2005113828.tif 000002
【特許請求の範囲】
【請求項１】
有底ケーシング内に圧送ポンプを収容し、ポンプ吸込口はケーシング壁面に開設された排
水流入口へ導通し、ポンプ吐出口はケーシング壁面に開設された排水流出口へ導通し、排
水流入口には排水状況を検知するセンサーを装備し、該センサーの信号を受信した制御機
関からの指令によって圧送ポンプの運転制御が行われるよう構成したことを特徴とする、
排水圧送用ポンプユニット。
【請求項２】
有底ケーシング内に収容される圧送ポンプが横型の圧送ポンプであることを特徴とする、
請求項１記載の排水圧送用ポンプユニット。
【請求項３】
ポンプ吐出口がポンプ吸込口よりも高い位置に開口されていることを特徴とする、請求項
１および２記載の排水圧送用ポンプユニット。
【発明の詳細な説明】
【技術分野】
【０００１】
本発明は、中高層等の既設建築物の各階における、既設の屋内排水立管或いは排水枡か
ら遠距離に位置するトイレ、浴槽、洗濯機用パンなど各種排水源までの屋内排水枝管中に
設置して、遠距離に位置する該排水源からの排水を既設の屋内排水立管或いは排水枡へ圧
送させるための排水圧送用ポンプユニットに関するものである。
【背景技術】
【０００２】
中高層建築物等の各階における、トイレ、浴槽、洗濯機用パンなど(以下、排水設備機
器等という)各種排水源からの排水は、従来、床下空間部における屋内排水枝管の傾斜勾
配を利用した自然流下方式(重力排水方式)が一般的であった（例えば、特許文献１参照）
。しかし、建物の構造上による制約から床下空間部の高さは僅かメンテナンスに必要な最
低限の高さしかなく、屋内排水立管或いは排水枡からの距離が遠くなればなるほど床下空
間部の高さ制約により屋内排水枝管の傾斜勾配は緩やかとなる。したがって、必然的に排
水設備機器等の設置位置は、当該排水設備機器等に導通される屋内排水枝管が規定の導水
勾配が確保できる屋内排水立管或いは排水枡の近傍位置に限定されてしまう。近年供給過
剰の中古オフィスビルを改修してマンション（集合住宅）に転換しようとの動きが建設業
界に見られる。かかる場合においては、既存ビルの躯体構造をそのまま利用して内部の壁
や排水設備機器配置を居住に適合するよう改修するというのである。しかし、マンション
（集合住宅）の場合にはオフィスビルと異なり、排水設備機器等は各戸毎に設けなければ
ならず、上述の理由からそれに適した位置に屋内排水立管或いは排水枡の配備が望まれる
ところである。しかし、壁の改修は比較的容易に行えるが、屋内排水立管或いは排水枡の
配置変更および増設は躯体構造の変更を伴う大掛りな変更であり難工事となるため、マン
ション（集合住宅）としての排水設備機器等に対応させた改修はコスト的に困難である。
【０００３】
そこで、従来の傾斜勾配による自然流下方式(重力排水方式)に代え、排水圧送方式と呼
ばれる一種の強制移送方式が用いられるようになりつつある。この排水圧送方式では各排
水源からの排水された汚水が、排水ポンプを内装する貯留槽と呼ばれる大容量の槽内に一
時貯留され、この貯留された汚水が排水ポンプの駆動により屋内排水枝管へ圧送されるこ
とになる（例えば、特許文献２参照）。しかし、マンション（集合住宅）においては各戸
毎に貯留槽の設置スペースを確保することは困難であり、また、排水ポンプの故障や点検
時には汚水の溜まった貯留槽内から排水ポンプを引き揚げる必要があり、メンテナンス性
に問題があるだけでなく、汚水の漏洩や悪臭の拡散によりマンション（集合住宅）の居住
性を著しく悪化させることにもなる。
【特許文献１】特開２００２−２８５６０１号公報  （０００２）
【特許文献２】特開２００３−９４０４１号公報  （第１−２図）
【発明の開示】
【発明が解決しようとする課題】
【０００４】
解決しようとする課題は、中高層等の既設建築物の各階における、既設の屋内排水立管
或いは排水枡から離れた任意の位置にトイレ、浴槽、洗濯機用パンなどの排水源を設ける
ことができ、汚水貯留槽の設置を必要とすることのなく省スペースで且つメンテナンス性
にすぐれた排水圧送設備を構成させるための、排水圧送用ポンプユニットを提供すること
にある。
【課題を解決するための手段】
【０００５】
本発明排水圧送用ポンプユニットでは、有底ケーシング内に圧送ポンプを収容し、ポン
プ吸込口はケーシング壁面に開設された排水流入口へ導通し、ポンプ吐出口はケーシング
壁面に開設された排水流出口へ導通し、排水流入口には排水状況を検知するセンサーを装
備し、該センサーの信号を受信した制御機関からの指令によって圧送ポンプの運転制御が
行われるよう構成したことを最も主要な特徴とする。
【発明の効果】
【０００６】
床下空間部に横設された屋内排水枝管と、屋内の排水源から導下された排水導管との間
に、本発明排水圧送用ポンプユニットを介装させることにより、中高層等の既設建築物の
各階における各種排水源からの排水を既設の屋内排水立管或いは排水枡経由で下水本管へ
排水すための排水圧送設備が即座に構成される。そして本発明排水圧送用ポンプユニット
の介装により構成された排水圧送設備は、従来の傾斜勾配による自然流下方式(重力排水
方式)のものとことなり、既設の屋内排水立管或いは排水枡から離れた任意の位置に設け
られた各種の排水源に対応することができる。また、従来の排水圧送方式のような貯留槽
の設置を必要とせず省スペース構成であり、且つ、圧送ポンプの故障や点検時には有底ケ
ーシングごと引き揚げることができてメンテナンス性に優れるだけでなく、汚水の漏洩や
悪臭の拡散を生じる惧れもない。
【発明を実施するための最良の形態】
【０００７】
ポンプ吐出口がポンプ吸込口よりも高い位置に開口されるよ圧送ポンプを収容し、ポン
プ吸込口は逆止弁および止水バルブを経由してケーシング壁面に開設された排水流入口へ
導通し、ポンプ吐出口は止水バルブを経由してケーシング壁面に開設された排水流出口へ
導通し、排水流入口には排水状況を検知するセンサーを装備し、該センサーの信号を受信
した制御機関からの指令によって圧送ポンプの運転制御が行われるよう構成する。
【実施例１】
【０００８】
図１において、１は屋内排水立管であり、中高層等の既設建築物の上層階から各階を経
由して下方部で下水本館２へ通じるよう立設される。３・・３は屋内排水枝管であり、各
階の床下空間部４に横設されて屋内排水立管１に集約されている。５・・５は各階に設け
られた排水源（トイレ、浴槽、洗濯機用パンなど）、６・・６は各排水源５・・５から導
下された排水導管である。７・・７は排水圧送用ポンプユニットであり、各排水導管６・
・６の導下終端部と各屋内排水枝管３・・３との導通部にそれぞれ介装されている。
【０００９】
前記排水圧送用ポンプユニット７は図２および図３に示すよう、有底ケーシング８内に
圧送ポンプ９を収容し、ポンプ吸込口１０は逆止弁１１および止水バルブ１２を経由し有
底ケーシング８の壁面に開設された排水流入口１３へ導通し、ポンプ吐出口１４は止水バ
ルブ１２を経由して有底ケーシング８の壁面に開設された排水流出口１５へ導通する態様
となっている。排水流入口１３には排水状況を検知するセンサー１６が装備され、該セン
サー１６の信号を受信した制御機関１７からの指令によって圧送ポンプ９の運転制御が行
われるよう構成されている。１８は有底ケーシング８内への漏水を検知するための漏洩セ
ンサーである。
【００１０】
排水状況を検知して外設の制御機関１７へ伝えるセンサー１６の種類としては、図１お
よび図２には圧力式センサーが例示されているが、これに限定するものではなく、重量式
センサー、静電容量式センサー、電極式センサー或いはフロート式センサー等であっても
よい。尤もセンサーの種類によって圧送ポンプ９を水位の状態に応じた時系列的な可変速
制御が可能となったり、非時系列のＯＮ−ＯＦＦ制御のみとなったり、或いは付着物の検
知をも可能とすることができる。しかし、このようなことは本発明の要旨ではない。
【実施例２】
【００１１】
ポンプ吐出口がポンプ吸込口よりも高い位置に開口されるよ横型の圧送ポンプを有底ケ
ーシング８に収容した場合は、排水中に含まれる空気を排出し易くなってエアーロック防
止効果を生じることになる。
【図面の簡単な説明】
【００１２】
【図１】本発明排水圧送用ポンプユニットの使用例を略示した説明図である。
【図２】本発明排水圧送用ポンプユニットの構成例を示した要部縦断側面図である。
【図３】本発明排水圧送用ポンプユニットの装着例を示した要部縦断側面図である。
【符号の説明】
【００１３】
８      有底ケーシング
９      圧送ポンプ
１０      ポンプ吸込口
１３      排水流入口
１４      ポンプ吐出口
１５      排水流出口
１６      センサー
１７      制御機関
【図１】
2005113828.tif 000003
【図２】
2005113828.tif 000004
【図３】
2005113828.tif 000005